(57)【要約】【課題】  小径化や軽量化された回転刃であって、たとえ長尺であっても安価に形成できる回転刃を用いて、小型化や軽量化さらには廉価化されたシート材切断装置を提供する。【解決手段】  直線状の刃先線を有する固定刃と剪断角をもって順次噛み合うことでシート材の切断を営む回転刃を備えたシート材切断装置であって、該回転刃は、長尺状で外周に円周形状を有するシャンク部材と長手方向に設けられた刃部材を有し、該刃部材は、線材でなり、シャンク部材の円周外径以下の内径で１巻き以下にねじり形成された刃先線部と、該刃先線部の両側に設けられた輪状部とを有して形成され、該輪状部にはシャンク部材を連通して固設し、前記刃先線部はシャンク部材の外周囲に巻き付くように延在して設けられている。前記刃先線部は噛み合いで巻き締まる方向にねじり形成されることが望ましく、切断開始側の前記輪状部にはシャンク部材との回り止めを有することが望ましい。【選択図】  図１
2011206873.tif 000002
【特許請求の範囲】
【請求項１】
直線状の刃先線を有する固定刃と剪断角をもって順次噛み合うことでシート材の切断を営む回転刃を備えたシート材切断装置であって、前記回転刃は、長尺状で外周に円周形状を有するシャンク部材と、該シャンク部材の長手方向に設けられた刃部材とを有し、該刃部材は、線材でなり、前記シャンク部材の円周外径以下の内径で１巻き以下にねじり形成された刃先線部と、該刃先線部の両側に設けられた輪状部とを有して形成され、該輪状部には前記シャンク部材を連通して固設し、前記刃先線部は前記シャンク部材の外周囲に巻き付くように延在して設けられていることを特徴とするシート材切断装置。
【請求項２】
前記刃部材の刃先線部は、前記固定刃と噛み合うことで巻き締まる方向にねじり形成されていることを特徴とする請求項２に記載のシート材切断装置。
【請求項３】
前記刃部材の切断開始側に有する輪状部には、前記シャンク部材との回り止めが設けられていることを特徴とする請求項３または４に記載のシート材切断装置。
【発明の詳細な説明】
【技術分野】
【０００１】
本発明は、複写機やプリンタなどの事務機器や券売機などの機器に搭載され、シート状やロール状の紙やフィルム、シールやラベルなど各種のシート材を任意の長さに切断するために用いられる、一般にロータリカッタといわれるシート材切断装置に関する。
【背景技術】
【０００２】
従来、シート材の切断幅方向に配置した固定刃と剪断角をもって順次噛み合うように配置した回転刃との間に挿入したシート材を、回転刃を回転することで切断することができる、一般にロータリカッタといわれるシート材切断装置がある。このようなシート材切断装置に用いる回転刃は、両端側を軸支したシャンク部と、該シャンク部の長手方向に設けた刃部とによって形成されるものが一般的である。
【０００３】
このようなシート材切断装置には、例えば特許文献１、２に提案された、円柱面に回転刃の刃先線を形成するものがある。該回転刃は、中実円柱を半径方向断面において半円形状や扇形状あるいはこれらと類似の形状に形成され、加工前の原断面と加工後の回転刃断面との差分に対応して画成される空間を通紙のための間隙として使用している。このような回転刃は、例えば丸棒などの溶製材から芯金となるシャンク部を削り出し、該シャンク部に対し、簡易な平面加工の組み合わせによって刃部を画成するためのすくい面や通紙のための間隙を画成する逃がし面が形成されている。
【０００４】
上述のような回転刃は、刃先線を簡易な平面の組み合わせによって形成できるものの、螺旋状などの複雑形状を有する刃先線を形成することは実用上困難であった。それ故に、回転刃自体の小径化や軽量化のために、例えば、回転刃の刃先線のリード角を大きくする、回転刃の半径方向断面積を低減する、といった回転刃形状の変更は難しかった。従って、回転刃の寸法形状による制約によって、シート材切断装置の小型化や軽量化が阻まれることもあった。
【０００５】
そこで本出願人は、金属粉末焼結法を適用し、刃部やシャンク部を一体の金属焼結体に形成して回転刃を得る特許文献３、４の提案を行った。回転刃の形成に金属粉末焼結法を適用することは、刃部やシャンク部だけでなく、切断開始時に固定刃刃先を回転刃刃先に案内するための案内部や、切断終了時に固定刃刃先を再び前記案内部へ誘導するための誘導部なども、一体に形成できるようになるため、複雑形状の回転刃を容易に形成できるばかりか、回転刃の小径化や軽量化を押し進める有力な手立てとなった。
【先行技術文献】
【特許文献】
【０００６】
【特許文献１】実開昭６２−１９５４９０号公報
【特許文献２】特開２００６−１６７８９５号公報
【特許文献３】特開２００９−１４８８７４号公報
【特許文献４】特開２００９−１４８８７５号公報
【発明の概要】
【発明が解決しようとする課題】
【０００７】
上述したシート材切断装置では、例えば切断するシート材幅が長い場合、当然ながら固定刃および回転刃もまた長尺のものを使用する必要がある。そして、長尺の回転刃であっても、上述した金属粉末焼結法を適用して形成することは可能である。しかしながら、金属粉末焼結法では、金属粉末成形体から脱脂焼結して金属焼結体を得る過程において、一般に長尺形状になればなるほどに曲がりなどの形状不具合を生じやすくなることが知られている。
【０００８】
回転刃の形成において、上述した曲がりなどの形状不具合を生じる場合、金属焼結体の曲がりを矯正する、事前に曲がり量を考慮して刃付けのための研磨代を増しておくなど、特別の対応を要することになる。それ故に、回転刃の形成に要する工数増大や歩留低下といった不都合を招き、結果として回転刃の製造コストを押し上げることとなって、回転刃を安価に提供することが困難になってしまう。
【０００９】
本発明の目的は、上記課題を鑑み、従来よりも小径化や軽量化がなされた回転刃であって、たとえ長尺であっても安価に形成できる回転刃を用いることによって、小型化や軽量化さらには廉価化されたシート材切断装置を提供することである。
【課題を解決するための手段】
【００１０】
本発明者は、回転刃をシャンク部材と刃部材に分け、シャンク部材の外周囲に線材でなる刃部材を巻き付けて延在させた回転刃とすることによって、上述の課題が解決できることを見出して本発明に想到した。
【００１１】
すなわち本発明は、直線状の刃先線を有する固定刃と剪断角をもって順次噛み合うことでシート材の切断を営む回転刃を備えたシート材切断装置であって、前記回転刃は、長尺状で外周に円周形状を有するシャンク部材と、該シャンク部材の長手方向に設けられた刃部材とを有し、該刃部材は、線材でなり、前記シャンク部材の円周外径以下の内径で１巻き以下にねじり形成された刃先線部と、該刃先線部の両側に設けられた輪状部とを有して形成され、該輪状部には前記シャンク部材を連通して固設し、前記刃先線部は前記シャンク部材の外周囲に巻き付くように延在して設けられている、シート材切断装置である。
【００１２】
本発明において、前記刃部材の刃先線部は、前記固定刃と噛み合うことで巻き締まる方向にねじり形成されていることが望ましい。
【００１３】
また、本発明において、前記刃部材の切断開始側に有する輪状部には、前記シャンク部材との回り止めが設けられていることが望ましい。
【発明の効果】
【００１４】
本発明のシート材切断装置は、素材から削り出して形成された回転刃でなく、一体に形成された金属焼結体でなる回転刃でもなく、回転刃をシャンク部材と刃部材に分け、長尺状で外周に円周形状を有するシャンク部材の外周囲に対し、線材でなる刃部材を巻き付けて延在させた簡易な構成の回転刃を用いてなる。それ故に、回転刃の刃先線のリード角を大きくする、回転刃の半径方向断面積を低減するなどといった回転刃の形状変更も容易であることに加えて、回転刃自体の小径化や軽量化さらには廉価化ができる。そして、該回転刃を用いた切断装置の小型化や軽量化さらには廉価化が可能となる。さらには、本発明のシート材切断装置の搭載により、例えばプリンタや券売機といった機械装置や事務機器の小型化や軽量化さらには廉価化にも寄与できる。
【図面の簡単な説明】
【００１５】
【図１】本発明のシート材切断装置の一例となる構成図である。
【図２】図１に示すシート材切断装置の線分ＰＰにおける断面図である。
【図３】図１に示すシート材切断装置の各部材の位置関係を示す構成図である。
【図４】図１に示すシート材切断装置の回転刃を示す構成図である。
【発明を実施するための形態】
【００１６】
本発明の重要な特徴は、直線状の刃先線を有する固定刃と剪断角をもって順次噛み合うことでシート材の切断を営む回転刃を備えたシート材切断装置、いわゆるロータリカッタにおいて、回転刃をシャンク部材と刃部材とに分け、長尺状で外周に円周形状を有するシャンク部材の外周囲に対し、線材でなる刃部材の刃先線部を巻き付けて延在させた簡易な構成の回転刃を採用したことである。このような構成でなる回転刃であれば、該回転刃のシャンク部材を比較的単純な長尺状かつ円柱状に形成し、該回転刃の刃部材を、例えば刃物用鋼やバネ用鋼などの線材を素材とし、機械的ねじり加工を主体とする塑性加工などによって形成することで、安価に形成することができる。
【００１７】
そして、このような線材でなる刃部材であれば、従来は金属焼結体からでしか形成できなかったような複雑形状の刃先線を有する回転刃であっても形成でき、例えば、固定刃との噛み合いにおける剪断角を画成する回転刃のリード角を大きく形成する、刃先線の途中においてリード角を変化させて形成する、刃先線の刃先角を切断開始側から切断終了側まで一定の角度に形成するなど、回転刃の刃先線形状を所望に形成することができる。なお、より鋭利な刃先線を所望する場合など、角形状断面を有する線材を使用したり、シャンク部材の外周囲に巻き付くように延在して設けられた刃部材の刃先線部に対して外周研磨などの機械加工を施すことができる。
【００１８】
本発明において、上述した線材でなる刃部材は、シャンク部材の円周外径以下の内径で１巻き以下にねじり形成された刃先線部を有する。刃先線部をシャンク部材の円周外径以下の内径でねじり形成するのは、シャンク部材の外周囲に対し、該刃先線部が密着できるようにして、該刃先線部を安定化できるからである。また、刃先線部を１巻き以下にねじり形成するのは、回転刃と固定刃でなす隙間にシート材を挿入した際、シート材に刃先線部が接触して傷付けることを回避できるからである。
【００１９】
回転刃の刃渡りは、実用上、シート材幅よりも幾らか広く形成しなければならない。仮に、刃先線部のねじり形成を１巻き丁度に設定した場合、シート材を挿入する隙間における刃先線部の露出が隙間の両端側になって、シート材に比べて刃渡りの方が広い分だけ露出した刃先線部とシート材との間に余裕ができて互いに接触することがない。なお、刃先線部は、１巻き以下にねじり形成するのであれば、所望の切断性能が得られるように、ねじれ量を調整すればよい。
【００２０】
また、本発明において、上述した線材でなる刃部材は、刃先線部の両側に設けられた輪状部を有する。そして、該輪状部にはシャンク部材を連通して固設している。このように刃部材の両側に設けた輪状部にシャンク部材を連通して固設することによって、刃部材をシャンク部材と一体化できるとともに、刃部材の脱落防止を図ることができる。また、シャンク部材に対する刃部材の輪状部の固設は、例えば、接着や溶接などに拠ってもよいし、ねじ止めやかしめ加工などに拠ってもよい。
【００２１】
以上、本発明において、刃部材は、線材でなり、前記シャンク部材の円周外径以下の内径で１巻き以下にねじり形成された刃先線部と、該刃先線部の両側に設けられた輪状部とを有して形成され、該輪状部には前記シャンク部材を連通して固設されている。このような構成を有する刃部材によって、長尺状のシャンク部材の外周囲に巻き付くように延在して設けることができる。このような回転刃であれば、回転刃として回転可能にするため両端部で軸支されるシャンク部材に対し、該シャンク部材とは別に形成した刃部材を簡易に安定して一体化することができるため、小径化、軽量化、廉価化を容易になすことが可能となる。
【００２２】
本発明においては、上述した刃部材の刃先線部は、固定刃と噛み合うことで巻き締まる方向にねじり形成されていることが望ましい。固定刃と噛み合うことで巻き締まる方向とは、例えば切断開始側からみて回転刃の回転方向が反時計回りであれば、刃先線部のねじり形成を切断開始側となる箇所から時計回りとなる方向に対応する。つまり、同一方向からみて、刃先線部を回転刃の回転方向とは反対方向に、刃先線部をねじり形成するのである。これにより、固定刃と噛み合った際に生じた切断反力が刃先線部のねじり方向と同方向へ作用することになるため、該刃先線部がねじりの内径を小さくするように巻き締められて、切断反力をシャンク部材と一体で受けることができる。
【００２３】
また、本発明においては、上述したように固定刃と噛み合うことで巻き締まる方向にねじり形成された刃先線部を有する刃部材において、さらに、切断開始側に有する輪状部にシャンク部材との回り止めを設けることが望ましい。切断開始側で回り止めを行うだけの簡易な構成であっても、切断時の切断反力が刃部材の刃先線部を巻き締めることに加え、刃部材の輪状部がシャンク部材の周りにずれ動くことがなくなって、安定して切断を行うことができる。それ故に、上述したような接着などの手段によって、シャンク部材に対して刃部材を固設することのない、より簡易な構成の回転刃を得ることも可能となる。
【００２４】
上述したような構成を有してなる回転刃を用いて、本発明のシート材切断装置、すなわち、直線状の刃先線を有する固定刃と剪断角をもって順次噛み合うことでシート材の切断を営む回転刃を備えたシート材切断装置を構成することができる。そして、回転刃の小径化や軽量化がなされているため、さらに、たとえ長尺の回転刃であっても安価に形成されているため、得られたシート材切断装置は、小型化や軽量化さらには廉価化された切断装置となる。
【００２５】
以下、本発明における回転刃であって、上述したように刃先線部が長尺状のシャンク部材の外周囲に巻き付くように延在して設けられてなる回転刃の一例を説明する。
図４に示す回転刃は、棒状素材を切削などして形成した長尺状のシャンク部材２と、角形断面を有する線材を塑性曲げなどして形成した刃部材３とを、一体的に形成することでなる。
【００２６】
このように回転刃として一体的に形成するにおいて、シャンク部材２に対し、例えば、刃部材３全体を接着して固設することもできるし、刃部材３の両端側に限って接着や溶接あるいはネジ止めやかしめなどで固設することもできる。また、刃部材３を相手刃となる固定刃と噛み合うことで巻き締まる方向にねじり形成した上で、刃部材３の切断開始側を回り止めするように形成することもできる。
【００２７】
回転刃を構成するシャンク部材２は、刃部材３を長手方向に延在して取り付けることが可能な長尺状で外周に円周形状を有するシャンク部２ａと、その両側に回転刃を回転軸として機能させるための軸部２ｂ、２ｃとを有し、さらにシャンク部２ａの外周の一部を切り欠くように長手方向の平面でなる通紙面２ｄを有してなる。このような通紙面２ｄを設けることで、切断を営む相手刃となる固定刃との間にシート材を通紙するための間隙を画成することができる。
【００２８】
そして、回転刃を構成する刃部材３は、上述した線材でなり、シャンク部材２の円周外径以下の内径で１巻き以下にねじり形成され、シャンク部材２の外周囲に巻き付くように延在して設けられた刃先線部３ａと、その両側にシャンク部材２を連通して固設することで一体的に形成するための輪状部３ｂ、３ｄとを有し、さらに切断開始側の輪状部２ｂにはシャンク部材２の通紙面２ｄに引っ掛かるように設けられた係止部３ｃを有してなる。このような係止部３ｃを切断開始側の輪状部２ｂに設けることで、特に切断時に、刃部材３がシャンク部２ａの周方向に滑り動くことのないように回り止めする機能を持たせることができる。
【００２９】
また、刃部材３の刃先線部３ａは、上述のようにシャンク部材２の円周外径以下の内径で１巻き以下にねじり形成することで、曲線状の刃先線として形成することができる。なお、図４に示す刃先線部３ａは、途中でねじり形成する角度を変更することなく形成したものであるが、切断開始側と切断終了側とでねじり形成する角度を異なって形成することも可能である。また、刃部材３には、刃物用鋼やバネ用鋼など一般に販売されている線材を使用でき、このような線材であれば、切断開始から切断終了まで、刃先線部３ａにおいて刃先角などを同形状に形成できるため切断の安定化を図ることができる。また、刃部材３に使用する線材は、所望の断面形状を適宜選定することができ、例えば一部に鋭角をなす断面形状を有する線材を使用することで、回転刃の刃先線をより鋭利なものとすることができる。
【００３０】
上述したシャンク部材２と刃部材３でなる回転刃であれば、従来の平面加工の組み合わせによってなる回転刃の刃先線に比べ、相手刃となる固定刃の刃先線とで剪断角を画成するリード角が大きく設定でき、比較的小さな切断力でシート材の切断が可能となって回転刃の駆動動力を低減することができる。これは従来の刃部やシャンク部を一体の金属焼結体に形成して得た回転刃の利点であって、このような作用効果を本発明における回転刃も同等に得ることができる。
【００３１】
また、本発明における回転刃は、簡易形状のシャンク部材２と線材を曲げ形成してなる刃部材３との組み合わせによってなる簡易な構成である。それ故に、従来のように平面加工を組み合せて形成するよりも格段に自由度があって、従来のように一体の金属焼結体として形成するよりも格段に低コストな回転刃にすることができる。また、回転刃の刃先線をより鋭利化するための刃付けや外周研磨などの仕上げ加工を施したとしても、また、また、さらに焼入れ焼戻しなどの熱処理やコーティングなどの後処理を施したとしても、回転刃の生産に係る効率やコストは従来よりも格段の改善が期待できる。
【００３２】
以下、上述した構成を有してなる回転刃を適用した本発明の直線状の刃先線を有する固定刃と剪断角をもって順次噛み合うことでシート材の切断を営む回転刃を備えたシート材切断装置の一例を挙げて説明する。図１に外観を示す構成図、図２に線分ＰＰにおける断面図、図３に各部材の位置関係を表す構成図を示す。
【００３３】
シート材切断装置Ａ（以下、切断装置Ａという）は、本発明の一例となるいわゆるロータリカッタであって、シャンク部材２と刃部材３とで一体に形成した切断を営む回転刃と、直線状の刃先線部１ａを有してなる固定刃１と、固定刃１を取り付ける固定刃ホルダ４と、シャンク部材２の軸部２ｂ、２ｃおよび固定刃ホルダ４を支持する左右の側板６、７と、これら左右の側板６、７を切断幅方向に連結するフレーム５およびタイバー１２などで構成される。フレーム５およびタイバー１２は、ネジ１３、１４および１５、１６により、両端側に設けたタップ孔５ａ、５ｂおよび１２ａ、１２ｂで、左右の側板６、７にそれぞれ設けた貫通孔６ｄ、７ｄおよび６ｃ、７ｃの箇所に固設される。なお、タイバー１２は、左右の側板６、７の倒れ防止の補強的な機能を有する。
【００３４】
回転刃は、上述したように、長尺状で外周に円周形状を有するシャンク部材２と、シャンク部材２の長手方向に設けられた刃部材３とを、一体に形成してなしたものである。
シャンク部材２は、長尺状で外周に円周形状を有するシャンク部２ａと、その外周囲の一部を平面加工した通紙面２ｄと、両側に回転軸芯となる軸部２ｂ、２ｃとを有してなる。また、回転刃の回転軸芯となるシャンク部材２の軸部２ｂ、２ｃは、軸受８の貫通孔８ａに嵌入され、左右の側板６、７にそれぞれ設けた貫通孔６ａ、７ａに軸受８を嵌入することで軸支される。
【００３５】
また、刃部材３は、角形断面を有する線材を曲げ加工して形成したものであって、シャンク部２ａの円周外径以下の内径で１巻き以下に、切断時に巻き締まる方向にねじり形成された刃先線部３ａを有してなる。そして、刃部材３の刃先線部３ａがシャンク部２ａの外周囲に巻き付くように長手方向すなわち切断幅方向に延在して設けられるように、刃部材３の両側に形成した輪状部３ｂ、３ｄにシャンク部２ａを連通し、さらに切断開始側の輪状部３ｂに形成した係止部３ｃを通紙面２ｄに掛け止めることで回り止めとし、回転刃としての機能を有するように一体に形成される。
【００３６】
一方、回転刃の噛み合いの相手刃となる固定刃１は、切断幅方向に直線状の刃先線部１ａとヒラ面１ｂを有する平板形状であって、ヒラ面１ｂが固定刃ホルダ４の固定刃取付面４ａに固設される。このような固定刃１の刃先線部１ａに対して切断回転する回転刃の刃先線部３ａが所望する剪断角をもって切断幅方向に適正に噛み合うことができるように、左右の側板６、７に対してシャンク部材２および固定刃ホルダ４は配置され組み付けられる。このように構成して、回転刃と固定刃１との間に、切断するシート材（図示せず）を損傷することなく挿入できる通紙口３０が画成される。
【００３７】
固定刃ホルダ４は、上述のように左右の側板６、７に組み付けられる。具体的には、固定刃ホルダ４の支軸となるピン９、１０の軸部９ａ、１０ａを挿入する貫通孔４ｂを両端側に設け、ピン９、１０の軸部９ｂ、１０ｂがそれぞれ左右の側板６、７に設けられた貫通孔６ｂ、７ｂに挿入される。このように構成して、固定刃ホルダ４は左右の側板６、７によって軸支され、すなわち固定刃ホルダ４に固設した固定刃１も同様に左右の側板６、７によって軸支できる。
【００３８】
また、固定刃ホルダ４の一方の支軸となる左側のピン１０には、軸部１０ａに適正な弾性力を有する圧接バネ１１のコイル部が連通され、圧接バネ１１の一方の足は固定端１１ａとして側板７に設けた貫通孔７ｅに挿入されて固定され、他方の足は可動端１１ｂとして固定刃ホルダ４に対して掛け止められる。このように構成して、圧接バネ１１の弾性力を利用し、固定刃ホルダ４すなわち固定刃１を回転刃側に適正な付勢力で圧接できる。
【００３９】
従って、上述したように固定刃１の刃先線部１ａに対して切断回転する回転刃の刃先線部３ａは所望する剪断角をもって切断幅方向に適正に噛み合うよう配置されているため、固定刃１の刃先線部１ａと回転刃の刃先線部３ａとが、切断時に所望する剪断角をもって、そして、適正な圧接力によって、順次噛み合うことができる構成となる。
【００４０】
次に、上述した構成を有する本発明の一例となる切断装置Ａを用いてシート材を切断する動作について説明する。
切断するシート材（図示せず）を、シャンク部材２と刃部材３とで一体に形成した回転刃と固定刃１との間に画成した通紙口３０に、所望の切断位置になるように図１や図２で示す通紙方向に挿入する。この時点では、固定刃１の刃先線部１ａは、回転刃の刃先線部３ａの切断開始側に形成された輪状部３ｂに接し、待機位置にある。
【００４１】
このような待機状態から、回転刃が、軸部２ｂに連結した駆動手段（図示せず）によって図１や図２で示す回転方向へ回転されると、切断開始側の輪状部３ｂに接していた固定刃１の刃先線部１ａが輪状部３ｂの外周部によって回転刃の刃先線部３ａへ案内されて移行され、互いに接することで噛み合い点を形成する。さらに回転刃が回転されると、やがて噛み合い点がシート材の幅方向の一端に達し、互いの噛み合い点がシート材の切断点となって切断が開始される。
【００４２】
切断が開始されると、回転刃の刃先線部３ａは、圧縮バネ１１による圧接力だけでなく切断で生じる反力によっても、固定刃１の刃先線部１ａと離間される方向に負荷を受けることとなる。しかしながら、回転刃の刃先線部３ａは、シャンク部２ａの外周面に接しているとともに、固定刃１の刃先線部１ａと噛み合うことで巻き締まる方向にねじり形成されているため、このような負荷が作用してもシャンク部２ａで受けることができる。それ故に、回転刃の刃先線部３ａが固定刃１の刃先線部１ａと離間することはなく、互いの噛み合い点が維持でき、切断点を良好な状態に形成し続けることができる。
【００４３】
このようにしてシート材の切断は安定して進行し、終には切断点がシート材の幅方向の他端に達し、シート材は良好な切断品位をもって完全に切断される。この後、回転刃が回転され続けると、固定刃１の刃先線部１ａが回転刃の刃先線部３ａから切断終了側に形成した輪状部３ｄへ移行したときに互いの噛み合い点が解消される。やがて、固定刃１の刃先線部１ａは、輪状部３ｄから離脱して再び切断開始側の輪状部３ｂに接し、回転刃が１回転したときに待機位置へ戻る。
【００４４】
以上、回転刃をシャンク部材と刃部材とに分け、長尺状で外周に円周形状を有するシャンク部材の外周囲に対し、線材でなる刃部材の刃先線部を巻き付けて延在させた簡易な構成の回転刃を使用した、本発明のシート材切断装置によって、回転刃を１回転させる間に、固定刃の刃先線と回転刃の刃先線とを剪断角をもって順次噛み合わせ、切断開始から切断終了まで切断点を良好な状態に安定に維持してシート材を品位良く切断することができる。
【符号の説明】
【００４５】
１．固定刃、１ａ．刃先線部、１ｂ．ヒラ面、２．シャンク部材、２ａ．シャンク部、２ｂ．軸部、２ｃ．軸部、２ｄ．通紙面、３．刃部材、３ａ．刃先線部、３ｂ．輪状部、３ｃ．係止部、３ｄ．輪状部、４．固定刃ホルダ、４ａ．固定刃取付面、４ｂ．貫通孔、５．フレーム、５ａ．タップ孔、５ｂ．タップ孔、６．側板、６ａ〜６ｄ．貫通孔、７．側板、７ａ〜７ｅ．貫通孔、８．軸受、８ａ．貫通孔、９．ピン、９ａ．軸部、９ｂ．軸部、１０．ピン、１０ａ．軸部、１０ｂ．軸部、１１．圧接バネ、１１ａ．固定端、１１ｂ．可動端、１２．タイバー、１２ａ．タップ孔、１２ｂ．タップ孔、１３〜１６．ネジ、３０．通紙口、Ａ．切断装置
【図１】
2011206873.tif 000003
【図２】
2011206873.tif 000004
【図３】
2011206873.tif 000005
【図４】
2011206873.tif 000006